(57)【要約】【目的】  オンスクリーン表示が見えにくくなるという不具合を解消できるＯＳＤ機能搭載装置を提供する。【構成】  マイコン５は、オンスクリーン画像を重畳しようとする画面位置上の映像の色情報及び輝度情報を取得し、オンスクリーン画像を重畳しようとする画面位置上の映像の色及び輝度とオンスクリーン画像の色及び輝度が一致するか若しくは近似するかどうかを判断する。マイコン５は、一致又は近似するとの判断を行ったときには、（１）前記差異が前記予め定めた値を超えるようなオンスクリーン画像の色相及び輝度の変更処理、（２）例えば、受信映像が赤色であるなら、オンスクリーン画像を緑色とするように、互いに補色の関係となるような色相変更処理、（３）オンスクリーン画像の表示位置を変更する処理、（４）オンスクリーン画像の表示を取り止める制御、のいずれかを行う。【選択図】        図１
2005110081.tif 000002
【特許請求の範囲】
【請求項１】
オンスクリーンディスプレイ機能を搭載し、入力映像画面にオンスクリーン画像を重畳するＯＳＤ機能搭載装置において、前記オンスクリーン画像を重畳しようとする画面位置上の映像の色情報及び輝度情報の少なくとも一つを取得する手段と、前記情報に基づいて前記オンスクリーン画像の色及び輝度の少なくとも一つを設定する手段と、を備えたことを特徴とするＯＳＤ機能搭載装置。
【請求項２】
オンスクリーンディスプレイ機能を搭載し、入力映像画面にオンスクリーン画像を重畳するＯＳＤ機能搭載装置において、前記オンスクリーン画像を重畳しようとする画面位置上の映像の色情報及び輝度情報の少なくとも一つを取得する手段と、前記オンスクリーン画像が前記情報と一致若しくは近似する場合に前記オンスクリーン画像の表示位置を変更する手段と、を備えたことを特徴とするＯＳＤ機能搭載装置。
【請求項３】
オンスクリーンディスプレイ機能を搭載し、入力映像画面にオンスクリーン画像を重畳するＯＳＤ機能搭載装置において、前記オンスクリーン画像を重畳しようとする画面位置上の映像の色情報及び輝度情報の少なくとも一つを取得する手段と、前記オンスクリーン画像が前記情報と一致若しくは近似する場合に前記オンスクリーン画像の表示を取り止める制御手段と、を備えたことを特徴とするＯＳＤ機能搭載装置。
【請求項４】
オンスクリーンディスプレイ機能を搭載し、入力映像画面にオンスクリーン画像を重畳するＯＳＤ機能搭載装置において、前記オンスクリーン画像を重畳しようとする画面位置上の映像に文字が表示されているかどうかを判定する手段と、文字が表示されていると判定した場合に前記オンスクリーン画像の表示位置を変更する手段と、を備えたことを特徴とするＯＳＤ機能搭載装置。
【請求項５】
オンスクリーンディスプレイ機能を搭載し、入力映像画面にオンスクリーン画像を重畳するＯＳＤ機能搭載装置において、前記オンスクリーン画像を重畳しようとする画面位置上の映像に文字が表示されているかどうかを判定する手段と、文字が表示されていると判定した場合に前記オンスクリーン画像の表示を取り止める制御手段と、を備えたことを特徴とするＯＳＤ機能搭載装置。
【請求項６】
請求項４又は請求項５に記載のＯＳＤ機能搭載装置において、前記文字表示の判定は一定色の画素が黒画素にて囲まれている領域が存在するかどうかによって行うようにしたことを特徴とするＯＳＤ機能搭載装置。
【発明の詳細な説明】
【技術分野】
【０００１】
この発明は、テレビジョン受信装置などのオンスクリーンディスプレイ機能を搭載したＯＳＤ機能搭載装置に関する。
【背景技術】
【０００２】
従来より、オンスクリーンディスプレイ（ＯＳＤ）機能を搭載し、例えば、メニュー画面上でユーザが各種設定を行えるようにした放送受信装置が知られている（特許文献１参照）。
【特許文献１】特開２００２−１０１６０号公報
【発明の開示】
【発明が解決しようとする課題】
【０００３】
しかしながら、従来技術では、オンスクリーン表示の色や輝度は固定されたものであり、表示する入力映像によってはオンスクリーン表示が見えにくくなる。また、映像に文字が存在している場合に、その文字上にオンスクリーン表示がなされると、オンスクリーン文字が見にくくなってしまう。
【０００４】
この発明は、見やすいオンスクリーン表示が行えるＯＳＤ機能搭載装置を提供することを目的とする。
【課題を解決するための手段】
【０００５】
この発明のＯＳＤ機能搭載装置は、上記の課題を解決するために、オンスクリーンディスプレイ機能を搭載し、入力映像画面にオンスクリーン画像を重畳するＯＳＤ機能搭載装置において、前記オンスクリーン画像を重畳しようとする画面位置上の映像の色情報及び輝度情報の少なくとも一つを取得する手段と、前記情報に基づいて前記オンスクリーン画像の色及び輝度の少なくとも一つを設定する手段と、を備えたことを特徴とする。
【０００６】
また、この発明のＯＳＤ機能搭載装置は、オンスクリーンディスプレイ機能を搭載し、入力映像画面にオンスクリーン画像を重畳するＯＳＤ機能搭載装置において、前記オンスクリーン画像を重畳しようとする画面位置上の映像の色情報及び輝度情報の少なくとも一つを取得する手段と、前記オンスクリーン画像が前記情報と一致若しくは近似する場合に前記オンスクリーン画像の表示位置を変更する手段と、を備えたことを特徴とする。
【０００７】
また、この発明のＯＳＤ機能搭載装置は、オンスクリーンディスプレイ機能を搭載し、入力映像画面にオンスクリーン画像を重畳するＯＳＤ機能搭載装置において、前記オンスクリーン画像を重畳しようとする画面位置上の映像の色情報及び輝度情報の少なくとも一つを取得する手段と、前記オンスクリーン画像が前記情報と一致若しくは近似する場合に前記オンスクリーン画像の表示を取り止める制御手段と、を備えたことを特徴とする。
【０００８】
これらの構成であれば、表示映像と同じような色でオンスクリーン表示がなされることによるオンスクリーン表示の見にくさを回避できることになる。
【０００９】
また、この発明のＯＳＤ機能搭載装置は、オンスクリーンディスプレイ機能を搭載し、入力映像画面にオンスクリーン画像を重畳するＯＳＤ機能搭載装置において、前記オンスクリーン画像を重畳しようとする画面位置上の映像に文字が表示されているかどうかを判定する手段と、文字が表示されていると判定した場合に前記オンスクリーン画像の表示位置を変更する手段と、を備えたことを特徴とする。
【００１０】
また、この発明のＯＳＤ機能搭載装置は、オンスクリーンディスプレイ機能を搭載し、入力映像画面にオンスクリーン画像を重畳するＯＳＤ機能搭載装置において、前記オンスクリーン画像を重畳しようとする画面位置上の映像に文字が表示されているかどうかを判定する手段と、文字が表示されていると判定した場合に前記オンスクリーン画像の表示を取り止める制御手段と、を備えたことを特徴とする。
【００１１】
これらの構成であれば、表示映像上の文字に重なってオンスクリーン表示がなされることによるオンスクリーン表示の見にくさを回避できることになる。
【００１２】
上記のＯＳＤ機能搭載装置において、前記文字表示の判定は一定色の画素が黒画素にて囲まれている領域が存在するかどうかによって行うことができる。
【発明の効果】
【００１３】
この発明によれば、オンスクリーン表示が見えにくくなるという不具合を解消できるという効果を奏する。
【発明を実施するための最良の形態】
【００１４】
以下、この発明の実施形態の放送受信装置を図１乃至図１３に基づいて説明するが、オンスクリーンディスプレイ（ＯＳＤ）表示機能に特徴があるので、受信機能についての説明は簡略化している。
【００１５】
図１は放送受信装置の概略構成を示した説明図である。信号源１はチューナや外部機器（ＤＶＤプレーヤー等）等から成り、信号源１からの映像信号は検出回路２を経て映像処理回路３に入力される。映像処理回路３は、映像信号を入力し、各種の補正処理及びＲＧＢ信号出力等を行う。オンスクリーン生成回路６は、マイコン（マイクロコンピュータ）５からの出力指示に基づいてオンスクリーン画像を出力する。前記映像処理回路３は受信映像信号にオンスクリーン画像を合成（スーパーインポーズ）し、この合成映像を表示装置（ＣＲＴ等）４へ供給する。
【００１６】
前記検出回路２は、例えば映像信号としてＹ，Ｃｂ，ＣやＹＵＶ等を入力し、これをディジタル化する。そして、各走査線上での各位置の色情報（Ｃｂ，Ｃｒ等）及び輝度情報（Ｙ）をマイコン５に供給する。マイコン５は、オンスクリーン画像を重畳しようとする画面位置上の映像の色情報及び輝度情報を取得する。オンスクリーン画像を重畳しようとする画面位置は、例えば、画面縦方向については水平同期信号のカウント値（ライン数）によって判断でき、画面横方向については、水平同期信号を検出してからのクロック値（画素数）によって判断することができる。マイコン５は、オンスクリーン画像を重畳しようとする画面位置上の映像の色及び輝度とオンスクリーン画像の色及び輝度が一致するか若しくは近似するかどうかを判断する。例えば、ディジタル化した色情報（Ｃｂ，Ｃｒ等）及び輝度情報（Ｙ）とオンスクリーン画像の色値及び輝度値のディジタル値との差異が予め定めた値以内となる場合に近似であると判断することとする。
【００１７】
マイコン５は、一致又は近似するとの判断を行ったときには、（１）前記差異が前記予め定めた値を超えるようなオンスクリーン画像の色相及び輝度の変更処理、（２）例えば、受信映像が赤色であるなら、オンスクリーン画像を緑色とするように、互いに補色の関係となるような色相変更処理、（３）オンスクリーン画像の表示位置を変更する処理、（４）オンスクリーン画像の表示を取り止める制御、のいずれかを行う。前記（３）のオンスクリーン画像の表示位置を変更する処理では、変更位置での受信映像の色情報及び輝度情報を検出して再度の一致又は近似の判定を行い、一致又は近似でないと判定したときにオンスクリーン画像を表示することとするのがよい。また、これらの処理の他、例えば、オンスクリーン画像の色と輝度を何種類か用意すると共に、それぞれについて基準範囲を決めることとする。この基準範囲とは、色相なら何度〜何度まで、輝度なら何ＩＲＥ〜何ＩＲＥまでという範囲のことを指す。そして、これらをテーブル化し、オンスクリーン画像の表示予定位置での受信映像が或る基準範囲に属する場合にそれに対応付けられているテーブル値を読み出し、このテーブル値により特定される種類の色と輝度でオンスクリーン画像の表示を行うようにしてもよい。なお、オンスクリーン表示を行った後にも前述の一致又は近似の判定処理を継続し、一致又は近似の判定がなされたときに、前述の（４）の処理を行うようにしてもよい。
【００１８】
マイコン５は、オンスクリーン画像を重畳しようとする位置上の映像に文字が表示されているかどうかを判定することができる。まず、この判定処理の概要を述べる。オンスクリーン表示領域周辺の映像信号のディジタルデータを取得する処理を行い、そのデータから文字の有無を推測する。放送では文字は黒線で囲まれていることが多く、囲まれた部分の輝度はほぼ同じである。そこで、ある一定以下の輝度を黒レベルと規定し、黒線判別を行い黒線で囲まれた領域を見つけ出す。その内部の輝度のばらつきが一定範囲内であれば文字と判別する。文字判別の具体的手順を以下に示し、更にその後にこれら手順を含むフローチャートを示して説明する。
【００１９】
手順１：マイコン５は、図２に示すように、ライン順に画素の輝度データを取得し、水平方向に黒レベル画素が連続しているかをチェックする。連続している黒レベル画素があれば、記録用テーブルを作り、各々の画素の水平位置を記録する。黒レベル画素が連続する部分が複数ある場合は、それぞれについて記録用テーブルを作り、各々の画素の水平位置を記録する。
【００２０】
手順２：マイコン５は、図３に示すように、テーブル内の最新ラインデータ内の水平位置が一番手前の画素に対して、一定水平範囲内で次ラインの画素の輝度データを取得する。その結果、黒レベル画素の後に黒レベル以上の輝度の画素が隣り合って存在している場合、記録用のテーブルに輝度レベル、位置を記録して、以下の手順３を行う。もし、一定範囲内に条件を満たす画素が存在しない場合は、文字でないと判定しテーブルを破棄する。
【００２１】
手順３：マイコン５は、図４及び図５に示すように、前のラインで見つけた黒レベル以上の輝度の画素から、順に上下と後の画素をチェックする。マイコン５は、周囲に黒レベル画素及び同じ画素以外の画素が存在した場合は、文字ではないと判定し、記録用テーブルを破棄する。一方、文字でないと判定されなかった場合はテーブルに画素の位置データを記録する。各テーブルにおいて位置データはラインごとにまとめる。ただし、図６に示すように、下側の画素構成が、同輝度→黒レベル→同輝度といったように同輝度、黒レベルが交互にくる場合は、複数の同輝度画素の開始位置を記録し、その位置から開始される画素のカウント数を同テーブルに記録する。また、図７に示すように、開始時は対象画素が二つあるために別テーブルが作成されたとしても、これら二つのテーブル間で連続する同輝度画素が同ライン上に存在することとなったときには、これら二つのテーブルを統合して一つのテーブルとする。
【００２２】
手順４：同輝度の画素の連続が、黒レベル画素で止まった場合はこの手順４を行う。すなわち、図８に示すように、黒レベル画素の１つ前の同輝度画素が、前ラインの一番後の黒レベル画素に対して水平方向上に一定の範囲内にあるかどうかをチェックする。一定範囲内になければ、文字でないと判定しテーブルを破棄する。一定範囲内にあれば、このラインごとにまとめられた位置データが最新ラインデータとなる。
【００２３】
手順５：手順２〜手順４の動作を繰り返し行い、対象輝度画素の下のラインの画素が黒レベル画素のみの連続になったら、動作を終了する。
【００２４】
手順６：上記の手順をすべての対象ラインで行った後、各テーブルの開始ラインと終了ラインをチェックし、２つのラインともに規定された範囲で近い位置にあるテーブル群（例えば一般的なスーパーインポーズ文字の縦横長さの範囲内にあると判断されるテーブル群）の黒−黒間の輝度レベルを比較する。同レベルの輝度をもつテーブルの割合が規定値以上であれば文字と判定し、規定値より少ない場合は文字でないとする。
【００２５】
マイコン５は、オンスクリーン表示を行う位置に文字が存在する判断したときには、（５）オンスクリーン表示を行う位置を変更する処理、（６）オンスクリーン表示を取り止める制御、のいずれかを行う。前記（５）の位置変更処理においては、変更位置において文字が存在するかどうかを判定し、文字無しと判定したときにオンスクリーン表示を行うこととするのがよい。
【００２６】
上述した手順を含む全体処理が図９のフローチャートに示される。処理が開始されると、判定対象となるライン（オンスクリーン表示を行おうとする領域のライン）を選定する（ステップＳ１）。そして、ライン上の画素の輝度データを取得し（ステップＳ２）、水平方向に黒レベル画素が連続しているかどうかを判断する（ステップＳ３）。連続している黒レベル画素があるときには（ステップＳ３でＹＥＳ）、記録用テーブルを作り、連続している各々の画素の水平位置を記録する（ステップＳ４）。上記ステップＳ１乃至ステップＳ４の処理が前述の手順１に対応する。そして、手順２乃至手順５を行い（ステップＳ５）、ステップＳ６に進む。ステップＳ３において、黒レベル画素が連続していないと判断したときには、ラインの最終画素の確認処理が終了したかどうかを判断し（ステップＳ６）、終了していないときにはステップＳ２に戻る。終了したと判断したときには、全てのラインについて処理が終了したかどうかを判断し（ステップＳ７）、終了していない場合には次のラインを処理するためにステップＳ１に戻る。全ラインの処理が終了すると判別処理を終了する。なお、上記処理により、黒レベル画素が連続する部分が複数ある場合は、それぞれについて記録用テーブルが作成され、各々の画素の水平位置が記録されることになる。
【００２７】
図１０に示すように、テーブル内の最新ラインデータ内の水平位置が一番手前の画素を対象として（ステップＳ１１）、一定水平範囲内で次ラインの画素の輝度データを取得する（ステップＳ１２）。黒レベル画素の次に黒レベル以上の輝度の画素が隣り合って存在しているかどうかを判断し（ステップＳ１３）、一定範囲内に条件を満たす画素が存在しない場合は（ステップＳ１３でＮＯ）、文字でないと判定しテーブルを破棄する（ステップＳ１４）。ステップＳ１３においてＹＥＳと判断したときには、黒レベル以上の輝度の画素の輝度レベル、位置を記録用テーブルに記録する（ステップＳ１５）。前のラインで見つけた黒レベル以上の輝度の画素から、順に上下と後の画素をチェックする（ステップＳ１６）。周囲に黒レベル画素または同じ輝度の画素以外の画素が存在していないかどうかを判断し（ステップＳ１７）、存在する場合には（ステップＳ１７でＮＯ）、ステップＳ１４へ戻る。上記ステップＳ１７までが手順３に対応する。
【００２８】
ステップＳ１７でＹＥＳと判断されたときには、同輝度の画素の連続が黒レベル画素で終了しているかどうかを判断する（ステップＳ１８）。黒レベル画素で終了していないときにはステップＳ１５に戻り、黒レベル画素で終了している場合には処理判定を行う（ステップＳ１９）。ステップＳ１９では前述の手順４の処理が行われる。次に、対象輝度画素の下のラインの画素が黒レベル画素のみの連続であるかどうかを判断し（ステップＳ２０）、黒レベル画素のみの連続でない場合にはステップＳ１１に戻り、黒レベル画素のみの連続である場合には処理を終了する。すなわち、手順５の処理を行う。
【００２９】
図１１に示すフローチャートは手順３のただし書き部分の処理に対応する。対象ラインの下の画素構成が、同輝度→黒レベル→同輝度といったように同輝度、黒レベルが交互に存在するかどうかを判断する（ステップＳ２１）。交互でないときにはステップＳ２４に進み、交互であるときには複数の同輝度画素の開始位置を記録し（ステップＳ２２）、その位置から開始される画素数のカウント数を同テーブルで記録する（ステップＳ２３）。複数のテーブルに同ライン上の同じ水平位置の画素がある場合は（ステップＳ２４でＹＥＳ）、テーブルを統合し（ステップＳ２５）処理を終了する。
【００３０】
図１２に示すフローチャートは手順６の処理に対応する。各テーブルの開始ラインと終了ラインをチェックし（ステップＳ３１）、開始／終了ラインともに規定された範囲で近い位置にあるテーブルの黒−黒間の輝度レベルを比較する（ステップＳ３２）。同レベルの輝度をもつテーブルの割合が規定値以上であるかどうかを判断し（ステップＳ３３）、規定値以上でないときには文字でないと判定し（ステップＳ３４）、規定値以上であれば文字と判定する（ステップＳ３５）。  
【００３１】
次に実際の映像に文字がある場合どのように判別するかについて説明する。なお、図１３に示すように映像が入力されており、オンスクリーン表示予定位置が四角で囲まれた部分だけであるとする。ここで、図１３（ａ）に示すごとく、受信映像には「４月１日」という文字が存在するものとする。
【００３２】
図１３（ｂ）に示すごとく、文字判定の手順に従って処理を行うと、まず「４月１日」の上側で黒レベル輝度の連続したラインが見つかる。そこで、それぞれにテーブルを作り、黒レベル以上の輝度、画素の水平位置などのデータを記録する。この処理を続けていくと、最後に黒レベル輝度の連続のみのラインとなり、テーブルへのデータの書き込みが終了となる。すべての対象ラインで処理を行った後、それぞれのテーブル内の開始ラインと終了ラインをチェックする。開始ラインと終了ラインともに規定された範囲で近い位置にあるテーブルの黒−黒間の輝度レベルを比較する。
【００３３】
図１３（ｃ）に示しているように、４、月、１、日の開始ライン、終了ラインは異なる。規定された範囲が同図のようになっていた場合、４、月、１、日のテーブルに記されている輝度を比較する。そして、すべての輝度が同程度であれば文字であると判定することになる。
【００３４】
なお、オンスクリーン表示を行った後にも前述の文字存在判定処理を継続し、文字が存在するとの判定がなされたときに、前述の（６）の表示取り止め処理を行うようにしてもよい。
【図面の簡単な説明】
【００３５】
【図１】この発明の実施形態の放送受信装置の概略構成を示したブロック図である。
【図２】文字判定処理に関する説明図である。
【図３】文字判定処理に関する説明図である。
【図４】文字判定処理に関する説明図である。
【図５】文字判定処理に関する説明図である。
【図６】文字判定処理に関する説明図である。
【図７】文字判定処理に関する説明図である。
【図８】文字判定処理に関する説明図である。
【図９】文字判定処理に関するフローチャートである。
【図１０】文字判定処理に関するフローチャートである。
【図１１】文字判定処理に関するフローチャートである。
【図１２】文字判定処理に関するフローチャートである。
【図１３】同図（ａ）（ｂ）（ｃ）は、受信映像のスーパーインポーズ文字として「４月１日」が存在する場合を示した説明図である。
【符号の説明】
【００３６】
１    信号源
２    検出回路
３    映像処理回路
４    表示装置
５    マイコン（マイクロコンピュータ）
６    オンスクリーン生成回路
【図１】
2005110081.tif 000003
【図２】
2005110081.tif 000004
【図３】
2005110081.tif 000005
【図４】
2005110081.tif 000006
【図５】
2005110081.tif 000007
【図６】
2005110081.tif 000008
【図７】
2005110081.tif 000009
【図８】
2005110081.tif 000010
【図９】
2005110081.tif 000011
【図１０】
2005110081.tif 000012
【図１１】
2005110081.tif 000013
【図１２】
2005110081.tif 000014
【図１３】
2005110081.tif 000015